(57)【要約】【課題】ネットワーク等に関する専門的な知識が無くても本システムを利用できるようにする。【解決手段】センサ装置によって検知した情報をインターネットを介して送信するようなセンサシステムでは、設定の際には、ネットワーク等についての専門知識が必要となる。しかし、利用者は、そのような専門知識を必要としない情報（例えば、イベント発生検知時にメール通知をするか否か等についての情報）をセンターに伝えるだけで良く、該センターでは、専門のオペレータがネットワーク等についての設定を行なう。したがって、利用者は、ネットワーク等に関する専門的な知識が無くても本システムを利用することができる。【選択図】図１
2008078874.tif 000002
【特許請求の範囲】
【請求項１】
センサ装置によって検知した情報をインターネットを介して送信するようにしたセンサシステムにおいて、
所定の情報を検知するセンサ装置と、
該センサ装置の制御を行うと共にインターネットに接続されたセンサコントローラと、
該インターネットを介して前記センサコントローラに接続されたサーバー装置と、
を備え、
該サーバー装置は、前記各センサ装置毎の設定情報が保存される設定情報保存部と、該設定情報保存部に保存されている設定情報を前記各センサコントローラに送信したり該センサコントローラからの情報を受信する情報送受信部と、利用者から得た情報であってネットワークについての知識を必要としない１次情報を保存する１次情報保存部と、該１次情報を含む設定情報を前記設定情報保存部に入力する設定情報入力部と、を有する、
ことを特徴とするセンサシステム。
【請求項２】
前記１次情報は、
・  前記センサ装置がイベント発生を検知した時にメール通知をするか否かについての設定
・  利用者側に設置されたウェブカメラで映像を撮影するか否かについての設定
・  該撮影した映像を電子メールに添付するか否かについての設定
・  該電子メールに添付する映像を動画像にするか静止画像にするかの選択
・  イベント発生を検知した場合における電子メールの送信先アドレス
・  前記センサ装置のＯＮの指示
・  前記センサ装置のＯＦＦの指示
の内の少なくとも１つの情報である、
ことを特徴とする請求項１に記載のセンサシステム。
【請求項３】
前記設定情報は、前記１次情報、及びネットワーク等についての知識を必要とする情報を含む、
ことを特徴とする請求項１又は２に記載のセンサシステム。
【請求項４】
イベント発生があったことを電子メールで通知するメール送信部、
を備えたことを特徴とする請求項１乃至３のいずれか１項に記載のセンサシステム。
【請求項５】
前記設定情報入力部は、キーボード及びマウスの少なくとも１つを含む、
ことを特徴とする請求項１乃至４のいずれか１項に記載のセンサシステム。
【請求項６】
前記情報送受信部は、前記センサコントローラが起動されるタイミング、及び／又は一定時間毎に該センサコントローラからの通信に応答して設定情報を送信する、
ことを特徴とする請求項１乃至５のいずれか１項に記載のセンサシステム。
【請求項７】
前記センサ装置及び／又は前記センサコントローラはＣＰＵ及びメモリーを有すると共に前記情報送受信部から送信されてきた設定情報を一時的に保存する、
ことを特徴とする請求項１乃至６のいずれか１項に記載のセンサシステム。
【発明の詳細な説明】
【技術分野】
【０００１】
本発明は、センサ装置によって検知した情報をインターネットを介して送信するようにしたセンサシステムに関する。
【背景技術】
【０００２】
近年、センサ装置によって検知した情報をインターネットを介して送信するようにしたセンサシステムが種々の目的のために使用されている。
【０００３】
例えば、一般住宅や職場等に侵入者検知センサ（例えば、赤外線により人の有無を検出して検出信号を発信する人感センサや、ドアの開閉または破壊に応じて検出信号を発信するドアセンサや、窓の開閉または破壊に応じて検出信号を発信する窓センサ等）を設けておいて、侵入者を検知した場合には、特定の電話機（居住者や管理者の携帯電話機等）にネットワークを介して電話を掛けたり、予め設定しておいたアドレスに電子メールを送信したりするようにしたシステムが提案されている（例えば、特許文献１，２，３参照。）。
【０００４】
さらに、このようなセンサシステムは侵入者の検知だけでなく、温度検知や湿度検知や明るさ検知や水漏れ検知等のように、他の目的にも使用することができる。
【０００５】
このようなセンサシステムを稼動させるには、
・  イベント発生（センサの計測値が所定の閾値を超えること）を検知した場合における電子メールの送信先アドレス
・  電話番号
・  イベント発生かどうかを判定する条件の設定（例えば、温度検知する場合、何℃以上になったらイベント発生と判断すべきかとか、どれ位の明るさになったら通報するかとかの設定）
・  ネットワークについての設定（例えば、ＴＣＰ／ＩＰアドレスや固定ＩＰアドレスやポート番号等の設定、ＰＯＰ、ＳＭＴＰ、認証方法などのメールサーバーについての設定）
等を行う必要があった。
【特許文献１】特開２００５−２０８８７８号公報
【特許文献２】特開２００５−２２８３３０号公報
【特許文献３】特開２００４−１３５１９７号公報
【発明の開示】
【発明が解決しようとする課題】
【０００６】
ところで、上述のような設定項目の内、送信先アドレス等は、特に専門知識が無くても容易に設定できるが、ネットワークに関する設定についてはある程度の専門知識が要求され、サービスマンによる訪問サービス等を依頼しなければならない場合もあり、手間及びコストの面で問題があった。
【０００７】
本発明は、ネットワーク等についての専門的な知識を有さない利用者であっても設定等を簡単に行うことのできるセンサシステムを提供することを目的とするものである。
【課題を解決するための手段】
【０００８】
請求項１に係る発明は、図１に例示するものであって、センサ装置（２）によって検知した情報をインターネット（３）を介して送信するようにしたセンサシステム（１）において、
所定の情報を検知するセンサ装置（２）と、
該センサ装置（２）の制御を行うと共にインターネット（３）に接続されたセンサコントローラ（４）と、
該インターネット（３）を介して前記センサコントローラ（４）に接続されたサーバー装置（５）と、
を備え、
該サーバー装置（５）は、前記各センサ装置（２）毎の設定情報が保存される設定情報保存部（５０）と、該設定情報保存部（５０）に保存されている設定情報を前記各センサコントローラ（４）に送信したり該センサコントローラ（４）からの情報を受信する情報送受信部（５１）と、利用者から得た情報であってネットワークについての知識を必要としない１次情報を保存する１次情報保存部（５２）と、該１次情報を含む設定情報を前記設定情報保存部（５０）に入力する設定情報入力部（５３）と、を有することを特徴とする。
【０００９】
請求項２に係る発明は、請求項１に係る発明において、前記１次情報は、
・  前記センサ装置（２）がイベント発生を検知した時にメール通知をするか否かについての設定
・  利用者側に設置されたウェブカメラ（７）で映像を撮影するか否かについての設定
・  該撮影した映像を電子メールに添付するか否かについての設定
・  該電子メールに添付する映像を動画像にするか静止画像にするかの選択
・  イベント発生を検知した場合における電子メールの送信先アドレス
・  前記センサ装置（２）のＯＮの指示
・  前記センサ装置（２）のＯＦＦの指示
の内の少なくとも１つの情報であることを特徴とする。
【００１０】
請求項３に係る発明は、請求項１又は２に係る発明において、前記設定情報は、前記１次情報、及びネットワーク等についての知識を必要とする情報を含むことを特徴とする。
【００１１】
請求項４に係る発明は、請求項１乃至３のいずれか１項に記載の発明において、イベント発生があったことを電子メールで通知するメール送信部（５４）を備えたことを特徴とする。
【００１２】
請求項５に係る発明は、請求項１乃至４のいずれか1項に記載の発明において、前記設定情報入力部（５３）は、キーボード及びマウスの少なくとも１つを含むことを特徴とする。
【００１３】
請求項６に係る発明は、請求項１乃至５のいずれか１項に記載の発明において、前記情報送受信部（５１）は、前記センサコントローラ（４）が起動されるタイミング、及び／又は一定時間毎に該センサコントローラ（４）からの通信に応答して設定情報を送信することを特徴とする。
【００１４】
請求項７に係る発明は、請求項１乃至６のいずれか1項に記載の発明において、前記センサ装置（２）及び／又は前記センサコントローラ（４）はＣＰＵ及びメモリーを有すると共に前記情報送受信部（５１）から送信されてきた設定情報を一時的に保存することを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１乃至６に係る発明によれば、必要な設定情報（つまり、ネットワークについての知識を必要としない１次情報、及びネットワーク等についての知識を必要とする情報を含むもの）が前記設定情報入力部により前記設定情報保存部に入力されることにより、本システムを利用することができる。これらの情報の内、利用者が提供する必要があるのは前者（ネットワークについての知識を必要としない１次情報）のみであって、後者（ネットワーク等についての知識を必要とする情報）はサーバー装置側の専門家（オペレータ）の知識だけで入力されることとなる。したがって、ネットワーク等についての専門知識の無い利用者であっても、本システムを利用することができる。
【００１７】
請求項７に係る発明によれば、前記情報送受信部から送信されてきた設定情報は前記センサ装置及び／又は前記センサコントローラによって一時的に保存されるように構成されているので、何らかの理由により前記サーバー装置からの新たな設定情報の取得をミスしたとしても、既に取得している設定情報を利用してシステムを運営することができる。
【発明を実施するための最良の形態】
【００１８】
以下、図１及び図２に沿って、本発明を実施するための最良の形態について説明する。ここで、図１は、本発明に係るセンサシステムの全体構成の一例を示すブロック図であり、図２は、該センサシステムに使用されるセンサ装置及びセンサコントローラの構成の一例を示すブロック図である。
【００１９】
本発明に係るセンサシステムは、図１に符号１で例示するものであって、センサ装置２によって検知した情報をインターネット３を介して送信するようにしたシステムである。具体的には、本発明に係るセンサシステム１は、
・  所定の情報を検知するセンサ装置２と、
・  該センサ装置２の制御を行うと共にインターネット３に接続されたセンサコントローラ４と、
・  該インターネット３を介して前記センサコントローラ４に接続されたサーバー装置５と、
を備えている。なお、上述のセンサ装置２やセンサコントローラ４は、このセンサシステムの利用者の自宅や会社等にそれぞれ配置され、前記サーバー装置５は各センサ装置２やセンサコントローラ４を集中管理するように設けられる。
【００２０】
ここで、前記サーバー装置５は、
・  前記各センサ装置毎の設定情報（利用者から得た、ネットワーク等についての知識を必要としない１次情報、及びネットワーク等について知識を必要とする情報）が保存される設定情報保存部５０と、
・  該設定情報保存部５０に保存されている設定情報を前記各センサコントローラ４に送信したり該センサコントローラ４からの情報を受信する情報送受信部５１と、
・  利用者から得た１次情報（上述したように、ネットワーク等についての知識を必要としない情報）を保存する１次情報保存部５２と、
・  該１次情報を含む設定情報を前記設定情報保存部５０に入力（設定情報の保存、及び、既に保存されている設定情報の編集等）する設定情報入力部５３と、
を少なくとも有している。また、必要に応じて、
・  イベント発生（センサの計測値が所定の閾値を超えること）があったことを利用者等に電子メールで通知するメール送信部５４や、
・  利用者等の携帯電話や固定電話に電話を掛けてイベント発生があった旨を音声で連絡する通報部（不図示）、
等を設けておいても良い。
【００２１】
なお、１次情報（つまり、利用者から得る情報であって、ネットワーク等についての専門知識を必要としない情報）としては、例えば、
・  センサ装置がイベント発生を検知した時にメール通知をするか否かについての設定
・  利用者側に設置されたウェブカメラ（図１の符号７参照）で映像を撮影するかどうかについての設定
・  該撮影した映像を電子メールに添付するかどうかの選択（設定）
・  該電子メールに添付する映像を動画像にするか静止画像にするかの選択
・  外出している利用者に定期的に電子メールで送信（定期動作という）すべき内容の選択（例えば、メール送信する内容を、温度データにするとか、降雨についてのデータにするとかの選択）
・  その定期動作用メールを送信する間隔についての選択（例えば、１時間毎）
・  その定期動作（つまり、定期動作時のメール送信）のＯＮ／ＯＦＦの設定
・  その定期動作を実行する時間帯の設定（開始時刻と終了時刻の設定）
・  映像撮影のＯＮ／ＯＦＦの設定
・  該撮影した映像を前記定期動作のメールに添付するかどうかの選択
・  センサ装置側に設けたブザーのＯＮ／ＯＦＦの選択（センサ装置が留守宅への侵入者の検知用である場合、ブザー（図２の符号２０７参照）を鳴らして威嚇をするかどうかの選択）
・  メールアドレス（イベント発生を検知した場合における電子メールの送信先）
・  センサ装置２及び／又はセンサコントローラ４のＯＮの指示、センサ装置２及び／又はセンサコントローラ４のＯＦＦの指示
・  加速度センサを使用する場合における、加速度の検知方向の設定や、検知感度の選択
・  センサ装置の検知モード（詳細は次の段落で述べる）についての設定
等のことを言う。
【００２２】
これらの１次情報は、インターネット３に接続できる端末機（パソコンやＰＤＡや携帯電話やＰＨＳ等。符号８参照。）を使って利用者が入力できるように構成しておくと良い。また、利用者が電話やファックス等を使って１次情報をサーバー装置側（オペレータ）に伝えるようにしても良い。例えば、上述した定期動作についての設定（メール送信間隔等の設定）や、加速度センサについての設定（検知方向や検知感度についての設定）には多少の専門知識が必要とされるので、そのような専門知識の無い利用者はコールセンターなどに電話を掛けることとなる。その際、オペレータは、利用者がどのような設定をしたいか（例えば、少しでもドアが動けば  その情報を入手したいのか、或いは、大きくドアが開閉された場合にだけ  情報を入手したいのか等）を質問し、その利用者に応じた最適な設定条件を適宜決定し、前記１次情報保存部５２に入力していくこととなる。このようにオペレータに電話を掛けた場合は、利用者は特に専門知識が無くともセンサシステムの設定を行えることとなる。
【００２３】
ところで、前記設定情報入力部５３は、キーボード及びマウスの少なくとも１つを含むものである。サーバー装置５の側に居る専門家（オペレータ）は、前記１次情報保存部５２から１次情報を取得し、該設定情報入力部５３を操作して設定情報保存部５０に設定情報を入力することとなる。なお、ネットワーク等についての知識を有する利用者のため、インターネット３に接続した端末機８がサーバー装置５の設定情報保存部５０へ直接アクセスして自分の設定情報を入力・編集できるようにしておくと良い。また、前記情報送受信部５１が前記設定情報を各センサコントローラ４に送信するタイミングは、該センサコントローラ４等が起動されるタイミング、及び／又は一定時間毎である。具体的には、前記情報送受信部５１は、前記センサコントローラ４が起動されるタイミング、及び／又は一定時間毎に該センサコントローラ４からの通信に応答して設定情報を送信することとなる。該センサコントローラ４は、取得した設定情報に基づき動作設定や設定変更を行う。
【００２４】
ところで、センサ装置における検知モードとは、例えば次に例示するものである。
(1)   温度センサの場合
・  所定以上（例えば、２８℃以上）の温度でイベント発生と判断するモード
・  所定以下（例えば、１０℃以下）の温度でイベント発生と判断するモード（ｅｘ．温室の温度）
・  温度センサによる検知を行わないモード
(2)   照度センサの場合
・  所定以上（例えば、２５０００Ｌｘ以上）の光量でイベント発生と判断するモード
・  所定以下（例えば、１００Ｌｘ以下）の光量でイベント発生と判断するモード
・  照度センサによる検知を行わないモード
(3)   磁気センサの場合（注：イベント発生時にＯＦＦとなるかＯＮとなるかは該センサの設置状態によって異なるので、次のようなモードを選択する必要がある。）
・  センサがＯＮからＯＦＦに切り替わったときがイベント発生時であると設定するモード
・  逆に、センサがＯＦＦからＯＮに切り替わったときがイベント発生時であると設定するモード
・  磁気センサによる検知を行わないモード
(4)   雨滴センサの場合
・  ＤＲＹからＷＥＴの状態になったときに通知するモード
・  ＷＥＴからＤＲＹの状態になったときに通知するモード
・  雨滴センサによる検知を行わないモード
【００２５】
一方のセンサ装置２及びセンサコントローラ４は、何らかの情報（例えば、ドアの開閉や、温度や、湿度や、降雨等についての情報）を検知するために利用者側に設置されるものである。センサ装置２としては、
・  磁気センサ
・  加速度センサ
・  温度センサ
・  湿度センサ
・  照度センサ（明るさ検知センサ）
・  雨滴センサ
・  水漏れセンサ
などの公知の様々なセンサを挙げることができる。
【００２６】
本発明によれば、必要な設定情報（つまり、ネットワークについての知識を必要としない１次情報、及びネットワーク等についての知識を必要とする情報を含むもの）が前記設定情報入力部５３により前記設定情報保存部５０に入力されることにより、本システムを利用することができる。これらの情報の内、利用者が提供する必要があるのは前者（ネットワークについての知識を必要としない１次情報）のみであって、後者（ネットワーク等についての知識を必要とする情報）はサーバー装置側の専門家（オペレータ）の知識だけで入力されることとなる。したがって、ネットワーク等についての専門知識の無い利用者であっても、本システムを利用することができる。
【００２７】
なお、本発明に用いるセンサ装置は、図２に示すように、センサコントローラ４に接続されたセンサ基地局２１と、該センサ基地局２１との間で無線でデータのやり取りを行う無線センサ部２０と、により構成すると良い。そして、これらの無線センサ部２０及びセンサ基地局２１にはそれぞれＣＰＵやメモリーを設けておいて（符号２０３，２１３参照）、前記情報送受信部５１から送信されてきた設定情報を一時的に保存するようにすると良い。そのように構成した場合には、何らかの理由により前記サーバー装置５からの新たな設定情報の取得をミスしたとしても、既に取得している設定情報に基づいた検知をすることができる。なお、製造時点で設定値（デフォルト値）を記憶させておいて、前記サーバー装置５から設定情報を最初に取得するまでは該デフォルト値を使用するようにしても良い。また、前記センサコントローラ４にＣＰＵやメモリーを設けておいて、設定情報の一時的保存及びデフォルト値の保存を行うようにしても良い。
【００２８】
ところで、利用者側（前記センサコントローラ４の側）から前記サーバー装置５への通信には、ＷＷＷアクセスに使用する通信ポートを利用するようにしても良い。これにより、利用者側において通信セキュリティの設定は不要となり、セキュリティについての専門知識の無い利用者であっても本システムを利用することができる。
【実施例１】
【００２９】
本実施例では、図１に示す構成のセンサシステム１を構築した。すなわち、利用者側の住居や会社にはパソコン（上記センサコントローラに相当するもの。以下、“利用者側パソコン”とする）４をインターネット３に接続した状態で配置しておき、該利用者側パソコン４には無線型センサ（センサ装置）２やウェブカメラ７を接続しておいた。
【００３０】
本実施例では、無線型センサ２として磁気センサを用い、ドアや窓の開閉を検知（侵入者を検知）できるようにした。なお、もちろんこれに限られるものではなく、
・  湿度センサにより湿度を検知するようにしても、
・  照度センサにより照度を検知するようにしても、
・  加速度センサによりドア等の開閉を検知するようにしても、
・  雨滴検知センサにより降雨を検知するようにしても、
良い。
【００３１】
ところで、本実施例においては、無線型センサ２は、
・  ＵＳＢケーブル６を介して利用者側パソコン４に接続されるセンサ基地局２１と、
・  該センサ基地局２１との間で無線でデータのやり取りを行うセンサ部２０と、
により構成した。
【００３２】
このうちのセンサ部２０は、図２に詳示するように、アンテナ２０１、無線送受信部２０２、ＣＰＵ及びメモリー２０３、ボタンスイッチ２０４、センサ２０６、ブザー２０７、ＬＥＤ２０８、電池２０５などで構成した。ＣＰＵ２０３には制御ソフトを内蔵しておいて、無線送受信部２０２の制御やセンサ２０６の処理を行うようにした。
【００３３】
他方のセンサ基地局２１は、アンテナ２１１、無線送受信部２１２、ＣＰＵ２１３、ホストＩ／Ｆ２１４にて構成した。そして、これらのアンテナ２１１と無線送受信部２１２とによってセンサ部２０とセンサ基地局２１との間でデータを送受信できるようにした。また、センサ基地局２１のホストＩ／Ｆ２１４は利用者側パソコン４に接続した。ＣＰＵ２１３には制御ソフトを内蔵し、該ソフトによって、無線送受信部２１２やホストＩ／Ｆ２１４の制御を行うようにした。
【００３４】
利用者側では以上のような装置構成となっているので、センサ２０６がイベント発生状態（例えば、何者かの侵入）を検知すると、その信号はＣＰＵ２０３に送られ、無線送受信部２０２からセンサ基地局２１を介して利用者側パソコン４に送信される。この利用者側パソコン４には上述のウェブカメラ７の制御ソフトがインストールされており、センサ２０６からのイベント発生信号を受信すると、ウェブカメラ７は、設定情報（静止画を撮影する間隔や、動画を撮影する時間等）に基づき静止画を撮影したり動画を撮影したりする。その映像は、パソコン内部のハードディスクに保存されると共に、センサ２０６からのデータ（計測値）と共にインターネット３を介してサーバー装置５に送信される（詳細は後述する）。
【００３５】
ここで、イベント発生時にブザー２０７を鳴らしたり、ＬＥＤ２０８を点滅させたりするという設定をしている場合には、センサ（磁気センサ）２０６の出力信号（デジタル信号）がＣＰＵ２０３に入力され、そのデジタルＩ／Ｏから信号が出力され、これにより、ブザー２０７が鳴らされたりＬＥＤ２０８が点滅されたりすることとなる。センサ２０６が雨滴検知センサの場合も、デジタル信号が出力されるので、同様の方法によりブザー２０７等が駆動される。これに対し、センサが温度センサや加速度センサや照度センサの場合には、アナログ信号を出力するので、ＣＰＵ２０３に内蔵されているＡ／Ｄ変換部によってデジタル信号に変換した上でブザー２０７やＬＥＤ２０８等の駆動を行うようにすると良い。
【００３６】
ところで、インターネット３には、図３に符号５で示すように、別のパソコン（ＯＳはマイクロソフト社のＷｉｎｄｏｗｓ（登録商標）サーバー）を接続してサーバー装置を構築した。本実施例では、
(1)   データ記録部５５と、
(2)   データ管理部（設定情報保存部）５０と、
(3)   ＷＷＷサーバー（１次情報保存部）５２と、
(4)   端末部５３と、
(5)   通信部（情報送受信部）５１と、
(6)   メールサーバー（メール送信部）５４と、
(7)   イベント処理部５７と、
(8)   ユーザー管理部５６と、
(9)   制御ソフト保存部５８と、
によってサーバー装置５を構成した。以下、それぞれについて説明する。
【００３７】
データ記録部５５は、無線型センサ２からの測定データや、ウェブカメラ７からの映像データや、必要なソフトウェア等を保存するデータベースである。
【００３８】
データ管理部５０は、アクセス管理情報、各センサ装置毎の設定情報、イベント情報、映像データなどを管理保存するデータベースである。
【００３９】
ＷＷＷサーバー５２は、アクセス制限がかかるようになっていて、接続が許可された利用者が外部からアクセスできるようになっており、端末機８を使って入力された１次情報（ネットワーク等についての専門知識を必要としない情報）を保存するようになっている。また、このＷＷＷサーバー５２からは、
・  既に設定されている設定情報や、
・  無線型センサ２から過去に送られてきたデータや、
・  ウェブカメラ７から送られてきた映像
等を取得できるようになっている。さらに、ネットワーク等についての専門知識を有する利用者は、自分の設定情報を入力及び編集できるようになっている。
【００４０】
端末部５３は、キーボードやマウス等であって、オペレータが設定情報（１次情報や、ネットワーク等についての設定）を入力するためのものである。
【００４１】
通信部５１は、インターネット３を介して情報のやり取りを行うためのものであり、具体的には、
・  データ管理部５０に保存されている設定情報を利用者側パソコン４に送信したり、
・  利用者側パソコン４からの情報を受信したり、
・  インターネット３に接続された端末機８との間で情報をやり取りしたり、
することができる。
【００４２】
メールサーバー５４は、イベント発生があったことを利用者に電子メールで通知するものである。
【００４３】
イベント処理部５７は、利用者側パソコン４から送られてくるイベント情報や映像データを処理するものである。具体的には、受信したデータをデータ管理部５０に保存し、設定された通知処理を行う。メール送信が設定されているときは、イベント情報を記載したメール本文を作成し映像等の添付が指定されていれば本文に添付し、指定されたメールアドレスにメールサーバー５４経由で送信する。
【００４４】
ユーザー管理部５６は、利用者側パソコン４からの接続が有効か否か、及び端末機８からの接続が有効か否かを判定し、無効な接続は遮断するものである。
【００４５】
制御ソフト保存部５８は、サーバー全体の動作を制御する制御ソフトプログラムを保存するものである。
【００４６】
なお、上述のＷＷＷサーバー５２やメールサーバー５４は、ＯＳで動作するＩＩＳで、データベースサーバーはＳＱＬＳｅｒｖｅｒで実現できる。
【００４７】
ところで、利用者側パソコン４とサーバー装置５との通信プロトコルは、ＷＷＷアクセスと同じＨＴＴＰプロトコルによるＷｅｂサービスを使用する。これにより、ＷＷＷアクセスが可能であれば、制御ソフトに予め設定されたサーバー装置５のサーバーアドレスに対して利用者側パソコン４から起動される通信は、ブロードバンドルータや通信セキュリティソフトの設定変更をしなくても可能となる。
【００４８】
上述したデータ管理部５０に保存されている設定情報は、制御ソフトの起動時や一定時間毎（例えば、１分毎）に利用者側パソコン４からの通信に応答してインターネット３を介して利用者側パソコン４に送られ、該パソコン内に保存される。その設定情報は、利用者側パソコン４のディスプレイで確認することができ、適宜、キーボード等を使って変更することができる。そして、センサ基地局２１は、ＣＰＵ２１３に内蔵されている制御ソフトウェアにより、センサ基地局２１が起動された時、或いは一定時間毎（例えば、１分毎）に利用者側パソコン４から設定情報を読み込む。この通信によりセンサ装置側の設定情報が更新されることとなる。サーバー装置側で設定情報が変更されていると、その変更後の設定情報がセンサ装置にて使用されることとなる。該取得した設定情報は、ＣＰＵ２０３の内蔵メモリーに一時的に保存される。
【図面の簡単な説明】
【００４９】
【図１】図１は、本発明に係るセンサシステムの全体構成の一例を示すブロック図である。
【図２】図２は、該センサシステムに使用されるセンサ装置及びセンサコントローラの構成の一例を示すブロック図である。
【図３】図３は、サーバー装置の構成の一例を示すブロック図である。
【符号の説明】
【００５０】
１            センサシステム
２            センサ装置（無線型センサ）
３            インターネット
４            センサコントローラ（利用者側パソコン）
５            サーバー装置
７            ウェブカメラ
５０          設定情報保存部（データ管理部）
５１          情報送受信部（通信部）
５２          １次情報保存部（ＷＷＷサーバー）
５３          設定情報入力部（端末部）
５４          メール送信部（メールサーバー）
【図１】
2008078874.tif 000003
【図２】
2008078874.tif 000004
【図３】
2008078874.tif 000005